(57)【要約】【課題】  床下に収納した収納物の出し入れが容易であり、その床上を種々な用途に有効活用でき、さらに、居室の面積を減らさずに大容量の収納部を設けることができる床下空間を利用した建物を提供することにある。【解決手段】  床下空間を利用した建物であって、床１に形成した開口部２の下方に床下空間が形成され、この床下空間に収納庫３Ａとテーブル３Ｂとを収容し、この収納庫３Ａとテーブル３Ｂとを上下に昇降させ所定位置に多段階で停止させる昇降手段を設けたことを特徴とする。【選択図】  図１
2005061022.tif 000002
【特許請求の範囲】
【請求項１】
床に形成した開口部の下方に床下空間が形成され、この床下空間に収納庫を収容し、この収納庫を上下方向に昇降させ所定の位置に多段階で停止させる昇降手段を設けたことを特徴とする床下空間を利用した建物。
【請求項２】
床に形成した開口部の下方に床下空間が形成され、この床下空間に収納庫とその上に設置した調度機器とからなる収容物を収容し、この収容物を上下方向に昇降させ所定の位置に多段階で停止させる昇降手段を設けたことを特徴とする床下空間を利用した建物。
【請求項３】
前記調度機器はテーブルであり、収納庫とテーブルの上面は前記開口部の大きさと略同じになされ、前記昇降手段によって、収容物を最下段で停止したときは、テーブル上面が床面と略面一になって開口部を塞ぎ、最下段の１段階上で停止した状態では掘ごたつとなり、２段階上で停止した状態では椅子に着座式のテーブルとなり、最上段で停止した状態では収納庫が床上に出現するように制御することを特徴とする請求項２記載の床下空間を利用した建物。
【請求項４】
前記床下空間は、建物が設置された地盤に地下ピットを設けて形成されていることを特徴とする請求項１〜３のいずれか１項記載の床下空間を利用した建物。
【発明の詳細な説明】
【技術分野】
【０００１】
本発明は、床下空間を利用した建物に関する。
【背景技術】
【０００２】
従来、建物の床下空間を利用したものとして、例えば、キッチンの床下収納や、特許文献１に記載されているように、居住空間下方の床下空間に物品収納部を設け、可動フロアをスライドさせて物品収納部を開放するようにしたものが知られている。
また、特許文献２には、工場や倉庫等の床下空間を利用して設置されるピット式収納装置が記載されている。このピット式収納装置は、地中に形成される竪穴内に収容される収納部と、収納部を上下方向に移動する移動手段とを備えたものであって、収納物の出し入れを行わない時には、収納部を竪穴内に収容してフォークリフトの通路等として使用され、収納物の出し入れを行う時には、収納部を上方に移動する。このため、収納物の大きさの制限を受けにくくし、収納物の出し入れも容易となる。
また、特許文献３には、床下に設置された枠体と、枠体に対して上下可能に支持された床と、床と枠体の間に設けられた伸縮可能な支持装置とを備えたタタミべッドが記載されている。このようなものによると、上記床がタタミの上方位置に持ち上げられたときには、ベット、机、踏み台等として利用することができる。
さらにまた、特許文献４には、上方が開口した箱体からなって、こたつ不使用時にこたつ櫓、こたつテーブルなどを前記開口を利用して内部に収納するようにした堀こたつ用炉箱が記載されている。このようなものによると、こたつ不使用時には、こたつ櫓、こたつテーブルなどの収納に床下空間を有効利用できる。
【特許文献１】特開平０７−２６９００５号公報
【特許文献２】特開２０００−１４２９１４号公報
【特許文献３】特開平０８−０７０９５９号公報
【特許文献４】特開平０７−２８０２７２号公報
【発明の開示】
【発明が解決しようとする課題】
【０００３】
しかしながら、上記特許文献１記載のような従来技術にあっては、物品収納部の高さが十分にとれないので収納物の大きさに制限を受けたり、腰を屈めた不自由な姿勢で収納物の出し入れするなど使用に不便であるという問題があった。
また、上記特許文献２記載のような従来技術にあっては、収納物の出し入れは容易となるが、収納部が収納物の収納だけに限られるので、床下の有効利用を制限するものであった。
また、上記特許文献３，４記載の従来技術にあっては、ベット、机、踏み台等としての利用に限られたり、こたつ櫓、こたつテーブルなどの収納だけに限られ、この場合も、床下の有効利用を制限するものであった。
【０００４】
本発明の課題は、床下に収納した収納物の出し入れが容易であり、その床上を種々な用途に有効活用でき、さらに、居室の面積を減らさずに大容量の収納部を設けることができる床下空間を利用した建物を提供することにある。
【課題を解決するための手段】
【０００５】
請求項１記載の発明は、床に形成した開口部の下方に床下空間が形成され、この床下空間に収納庫を収容し、この収納庫を上下方向に昇降させ所定の位置に多段階で停止させる昇降手段を設けたことを特徴とする床下空間を利用した建物である。
【０００６】
請求項２記載の発明は、床に形成した開口部の下方に床下空間が形成され、この床下空間に収納庫とその上に設置した調度機器とからなる収容物を収容し、この収容物を上下方向に昇降させ所定の位置に多段階で停止させる昇降手段を設けたことを特徴とする床下空間を利用した建物。
【０００７】
上記請求項２記載の発明において、調度機器としては、テーブル、机、ベッド等の家具調度や、空調機器、映像機器、音響機器等の設備機器や、これら調度と設備機器を組み合わせたもの等、のいずれであってもよい。
【０００８】
請求項３記載の発明は、請求項２記載の床下空間を利用した建物において、前記調度機器はテーブルであり、収納庫とテーブルの上面は前記開口部の大きさと略同じになされ、前記昇降手段によって、収容物を最下段で停止したときは、テーブル上面が床面と面一になって開口部を塞ぎ、最下段の１段階上で停止した状態では掘ごたつとなり、２段階上で停止した状態では椅子に着座式のテーブルとなり、最上段で停止した状態では収納庫が床上に出現するように制御することを特徴とする。
【０００９】
請求項４記載の発明は、請求項１〜３のいずれか１項記載の床下空間を利用した建物において、前記床下空間は、建物が設置された地盤に地下ピットを設けて形成されていることを特徴とする。
【発明の効果】
【００１０】
請求項１記載の発明によると、収納庫を上下方向に昇降させ所定位置に多段階で停止させる昇降手段を設けたので、上段の棚から収納物を取り出すときには、収納庫を低位置に上昇させ、下段の棚から収納物を取り出すときには、床上に収納庫全体が出現するように上昇させる。このようにすると、収納した収納物の出し入れが楽な姿勢で容易にできる。また、収納庫の出し入れをしないときには、収納庫を床下空間に下降させて収容すれば、居室を広く使用でき、収納庫を床上に出現させれば、収納庫を可動間仕切りとして使用できる。
【００１１】
請求項２記載の発明は、収納庫とその上に設置した調度機器とからなる収容物を床下空間に収容し、この収容物を上下方向に昇降させ所定位置に多段階で停止させる昇降手段を設けるようにした。この際、収容物を上昇させ、調度機器を床上に出現する位置で停止したときは、調度機器を居室床上にて使用できる。また、収容物をさらに上昇させ、収納庫を床上に出現する位置で停止したときは、収納庫を居室床上に設置でき、収納庫に収納した収納物の出し入れが容易となる。さらに、収容物を下降させてすべて床下空間に収容したときは、床上を広い居室にできる。このように、収容物の昇降の停止位置によって、床上を様々な用途に有効活用できる。
【００１２】
請求項３記載の発明によると、さらに、前記調度機器はテーブルであり、収納庫とテーブルの上面を前記開口部の大きさと略同じになるようにした。そして、前記昇降手段によって、収容物を最下段で停止したときは、テーブル上面が床面と面一になって開口部を塞ぐようにしたので、スライド床等のようなものを別に設けて床の開口部を塞がなくてもよい。また、最下段の１段階上で停止した状態では掘ごたつとなり、２段階上で停止した状態では椅子に着座式のテーブルとなるので、テーブルの用途を広げることができると共に、居室を和室的利用と洋室的利用のいずれにもできる。
【００１３】
請求項４記載の発明によると、さらに、前記床下空間は、建物が設置された地盤に地下ピットを設けて形成されているので、自由な高さの収納庫にでき、居室の面積を減らさずに大容量の収納部を設けることができる。
【発明を実施するための最良の形態】
【００１４】
図１〜図４は、本発明の一実施形態であって、図１（ａ）は床下空間を利用した建物の内部を示す説明図であり、（ｂ）は（ａ）の開口部における断面図である。図２は床下空間に収容した収容物を最下段の１段階上で停止した状態を示す断面図であり、図３は床下空間に収容した収容物を最下段の２段階上で停止した状態を示す断面図であり、図４は床下空間に収容した収容物を最上段で停止した状態を示す断面図である。図において、１は１階の床であり、２は開口部、３は収容物である。
【００１５】
本実施の形態は、床下空間を利用した建物であって、住宅として使用される。この建物の全体図は省略しているが、図１（ａ）に示すように、１階の床１の中央部に略正方形の開口部２が形成されている。この開口部２の下方の床下空間には、図１（ｂ）に示すように、収納庫３Ａとその上に設置したテーブル３Ｂ（調度機器）とからなる収容物３を収容している。この収容物３を床下空間と床上空間との間で矢印Ａで示す上下方向に昇降させ、所定位置に多段階で停止させる昇降手段（不図示）を設けている。昇降手段としては、電動式、油圧または空気圧式、手動式等、いずれでもよい。
【００１６】
収納庫３Ａは、雑多な収納物３２を収納するものであって、棚板３１によって上下２段に仕切られている。また、テーブル３Ｂは、裏面側の中央部から垂下する脚３３によって収納庫３Ａの上面中央部に支持されて取り付けられている。
【００１７】
上記開口部２下方の床下空間には、建物が設置された地盤５に地下ピット４を埋設し、上記収容物３の周囲を覆うようにしている。地下ピット４は、底付きの四角筒体であり、地盤の表面から上部が露出するように埋設され、地下ピット４の上端部を床１の裏面側に突き合わせて取り付けている（図１の（ｂ）参照）。
【００１８】
上記収納庫３Ａとテーブル３Ｂの上面は、いずれも、略正方形状の前記開口部２より僅かに小さい略正方形状になされている。そして、収納庫３Ａの上にテーブル３Ｂを設置した収納物３は、前記昇降手段によって、下記の４段階の位置に停止するように制御される。すなわち、収容物３を最下段の０段階で停止したときは、テーブル３Ｂの上面が床１の表面と面一になって床面を塞ぐ（図１の（ｂ）参照）。つぎに、１段階で停止した状態ではテーブル３Ｂが掘ごたつとなり（図２参照）、２段階で停止した状態では、椅子に着座式のテーブル３Ｂとなる（図３参照）。そして、最上段の３段階で停止した状態では収納庫３Ａが床１の上に出現する（図４参照）。
【００１９】
つぎに、上記構成になされた本実施の形態の作用効果について説明する。
本実施の形態によると、図４に示したように、収納庫３Ａを床１の上に出現する位置で停止したときは、収納庫３Ａを設置した居室にでき、収納庫３Ａに収納した収納物３２の出し入れが容易となる。また、図１（ｂ）に示したように、収容物３をすべて床下空間に収容したときは、床上を広い居室として活用できる。さらに、図２，図３に示したように、テーブル３Ｂの一部又は全部を床１の上に出現する位置で停止したときは、掘ごたつや椅子に着座式のテーブル３Ｂを設置した居室にできる。このように、収容物３の昇降の停止位置によって、床１の上を様々な用途に有効活用できる。
【００２０】
さらに、前記開口部２下方の床下空間は、建物が設置された地盤５に地下ピット４を設けて形成されているので、自由な高さの収納庫３Ａにでき、居室の面積を減らさずに大容量の収納部を設けることができる。
【００２１】
さらにまた、収納庫３Ａとテーブル３Ｂの上面を前記開口部２の大きさと略同じになるようにした。そして、前記昇降手段によって、収容物３を最下段の０段で停止したときは、テーブル３Ｂの上面が床１の面と面一になって床面を塞ぐようにしたので、スライド床等のようなものを別に設けて床１の開口部２を塞がなくてもよい。また、１段階で停止した状態では掘ごたつとなり、２段階で停止した状態では椅子に着座式のテーブルとなるので、一つのテーブル３Ｂで用途を広げることができると共に、居室を和室的利用と洋室的利用のいずれにもできる。
【００２２】
以上、本発明の一実施の形態を図面により詳述したが、本発明の具体的な構成はこの実施の形態に限られるものではなく、本発明の要旨を逸脱しない範囲の設計の変更等があっても本発明に含まれる。本実施の形態では、収納庫３Ａの上にはテーブル３Ｂを設置したが、例えば食器棚のような別の収納庫であってもよいし、ベッドのような別な家具であってもよい。
【産業上の利用可能性】
【００２３】
収納物の出し入れが容易となるので、床下空間の利用勝手のよい建物になる。また、収容物をすべて床下空間に収容して床上を広い居室にしたり、収納庫又は調度機器を使い勝手のよい位置に出現させたりして、居室を様々な用途に有効活用できる。
【図面の簡単な説明】
【００２４】
【図１】本発明の一実施形態であって、（ａ）は床下空間を利用した建物の内部を示す説明図であり、（ｂ）は（ａ）の開口部における断面図である。
【図２】床下空間に収容した収容物を最下段の１段階上で停止した状態を示す断面図である。
【図３】床下空間に収容した収容物を最下段の２段階上で停止した状態を示す断面図である。
【図４】床下空間に収容した収容物を最上段で停止した状態を示す断面図である。
【符号の説明】
【００２５】
１  床
２  開口部
３  収容物
３Ａ  収納庫
３Ｂ  テーブル（調度機器）
４  地下ピット
５  地盤
【図１】
2005061022.tif 000003
【図２】
2005061022.tif 000004
【図３】
2005061022.tif 000005
【図４】
2005061022.tif 000006